(57)【要約】【課題】  ドアの開錠動作において安全性の高い電気錠制御システム及び端末装置を提供すること。【解決手段】  電気錠端末装置１１は、管理会社５が管理するマスターリモコン９から発信された開錠信号を受信し、その開錠信号がメモリ４３内に登録されたマスターリモコンＩＤ情報５６と一致した場合、更にサービス提供会社（センター）７のサーバ１７からネットワーク２を介して送られる開錠信号を受信し、かんぬき２７を移動させ、開錠動作を行う。【選択図】  図４
2005290811.tif 000002
【特許請求の範囲】
【請求項１】
サーバコンピュータと、
前記サーバコンピュータと、ネットワークを介して接続された端末装置と、
を具備し、
前記端末装置は、
前記サーバコンピュータから開錠信号を受信する第１の受信手段と、
マスターリモコンから開錠信号を受信する第２の受信手段と、
前記第１の受信手段で受信した開錠信号と、前記第２の受信手段で受信した開錠信号とを基に開錠動作を行う開錠手段と、
を具備することを特徴とする電気錠制御システム。
【請求項２】
前記端末装置は、前記マスターリモコンの識別情報を保持し、
前記開錠手段は、前記第２の受信手段によって受信した開錠信号と、前記識別情報とを照合して開錠動作を行うことを特徴とする請求項１記載の電気錠制御システム。
【請求項３】
前記開錠手段は、ドアに設けられたかんぬきを動作させて開錠することを特徴とする請求項１記載の電気錠制御システム。
【請求項４】
前記開錠手段は、ドアのサムターンを回転させて開錠することを特徴とする請求項１記載の電気錠制御システム。
【請求項５】
サーバコンピュータと、ネットワークを介して接続された端末装置であって、
前記サーバコンピュータから開錠信号を受信する第１の受信手段と、
マスターリモコンから開錠信号を受信する第２の受信手段と、
前記第１の受信手段で受信した開錠信号と、前記第２の受信手段で受信した開錠信号とを基に開錠動作を行う開錠手段と、
を具備することを特徴とする端末装置。
【請求項６】
前記マスターリモコンの識別情報を保持し、
前記開錠手段は、前記第２の受信手段によって受信した開錠信号と、前記識別情報とを照合して開錠動作を行うことを特徴とする請求項５記載の端末装置。
【請求項７】
前記開錠手段は、ドアに設けられたかんぬきを動作させて開錠することを特徴とする請求項５記載の端末装置。
【請求項８】
前記開錠手段は、ドアのサムターンを回転させて開錠することを特徴とする請求項５記載の端末装置。
【発明の詳細な説明】
【技術分野】
【０００１】
本発明は、電気錠の開錠動作を行う電気錠制御システム、及び電気錠端末装置に関するものである。
【背景技術】
【０００２】
一般に、住宅等の建物のドア錠は、ドアに設けられた鍵穴に機械的なキーを挿入して回動することにより、施錠、開錠されるようになっている。
【０００３】
しかし、近年では、セキュリティの向上を目的に、ＩＤ番号（識別番号）を用いた電気錠システムも提案されている。この電気錠システムは、所定のＩＤ番号が記録された電子キーと、そのＩＤ番号を読み取るための電気錠とから構成されている。こうした電子キーシステムとして、電気錠に設けられたカードリーダに電子キーを接触させることによって、電気錠にＩＤ番号を読み込ませるものがある。また、電子キーに設けられた送信ボタンを押すことによって、ＩＤ番号を含む無線信号を電子キーから電気錠に送信させて、電気錠にＩＤ番号を読み込ませるものもある。いずれのタイプも、電気錠は、読み取ったＩＤ番号と、予め設定されたＩＤ番号とを比較し、それらＩＤ番号同士が一致したときにドアの錠を開錠するようになっている。
【特許文献１】特開２００３−１８４３７８号公報
【０００４】
一方、集合住宅などでは、ひとつの集合住宅共通のマスターキーが存在する場合が多い。例えば、集合住宅の中のある家の鍵が紛失した場合など、マスターキーを用いてその家の錠を開けることができる。
【発明の開示】
【発明が解決しようとする課題】
【０００５】
しかしながら、前述のような電気錠システムでは、電子キーを紛失したら錠は開けられない。また無線信号を使用利手遠隔操作による開錠は、無線信号をハッキングされることにより安全上の危険がある。また、マスターキーを用いる場合は、マスターキーが紛失したり、盗まれたりしないように厳重管理する必要があり、万が一盗まれた場合は、マスターキーを使って住宅のドアが開錠されることが考えられ、安全上の危険がある。
【０００６】
本発明は、上述した課題に鑑みなされたものであり、その目的とするところは、顧客が顧客宅の鍵を無くした場合に安全に開錠するための電気錠制御システム、及び、そのために必要な電気錠端末装置を提供することである。
【課題を解決するための手段】
【０００７】
本発明は、サーバコンピュータと、前記サーバコンピュータと、ネットワークを介して接続された端末装置と、を具備し、前記端末装置は、前記サーバコンピュータから開錠信号を受信する第１の受信手段と、マスターリモコンから開錠信号を受信する第２の受信手段と、前記第１の受信手段で受信した開錠信号と、前記第２の受信手段で受信した開錠信号とを基に開錠動作を行う開錠手段と、を具備することを特徴とする電気錠制御システムである。
【０００８】
ここで、端末装置は、前記マスターリモコンの識別情報を保持し、前記開錠手段は、第２の受信手段によって受信した開錠信号と、前記識別情報とを照合して開錠動作を行う。
第１の発明では、マスターリモコンからの開錠信号とサーバコンピュータからの開錠信号と、両方の開錠信号を受信して開錠動作を行うこととなり、開錠動作の安全性の向上が確保される。
【０００９】
ここで、開錠手段は、ドアに設けられたかんぬきを動作させて、あるいは、ドアのサムターンを回転させて開錠する。
【００１０】
第２の発明は、サーバコンピュータと、ネットワークを介して接続された端末装置であって、前記サーバコンピュータから開錠信号を受信する第１の受信手段と、マスターリモコンから開錠信号を受信する第２の受信手段と、前記第１の受信手段で受信した開錠信号と、前記第２の受信手段で受信した開錠信号とを基に開錠動作を行う開錠手段と、を具備することを特徴とする端末装置である。
【発明の効果】
【００１１】
本発明の電気錠制御システム、及び、端末装置は、マスターリモコンからの開錠信号とサーバコンピュータからの開錠信号と、両方の開錠信号を受信して開錠動作を行うこととなり、開錠動作において安全性の高い電気錠を提供する。
【発明を実施するための最良の形態】
【００１２】
図１は、本発明の第１の実施の形態に係る電気錠制御システム１の構成を示す概略構成図である。電気錠制御システム１は、ネットワーク２、マスターリモコン９、電気錠端末装置１１、無線機１４、ＮＣＵ（網制御装置）１５、サーバ１７、データベース１８等を有する。ここで、マスターリモコン９は管理会社５に備えられ、電気錠端末装置１１、無線機１４、ＮＣＵ１５は顧客宅３に備えられ、サーバ１７、データベース１８はサービス提供会社（センター）７に備えられる。
【００１３】
ネットワーク２はインターネットや公衆回線などである。顧客宅３には、無線機１０、電気錠端末装置１１、ガスメータ１２、無線機１４、ＮＣＵ１５、リモコンキー１９−１、１９−２、…が与えられる。顧客宅３は一戸建て住宅でも良いし、集合住宅のうちの一戸でもよい。
【００１４】
電気錠端末装置１１は、顧客宅３の玄関ドア等に設けられ、ドアの施錠、開錠を行う装置である。通常、電気端末装置１１はリモコンキー１９−１、１９−２、…から発信される施錠信号、開錠信号を受信して施錠動作、開錠動作を行う。
ガスメータ１２は顧客宅３のガスの流量等のデータ測定を行うものである。
【００１５】
ＮＣＵ１５は、ネットワーク２を介して、サービス提供会社（センター）７との通信を行う装置である。ＮＣＵ１５に接続される無線機１４は、ガスメータ１２に接続される無線機１０からのデータを受け取り、ＮＣＵ１５からサーバ１７に送ったり、サーバ１７からガスメータ１２に送られる制御命令等を無線機１０に対して送信する。
【００１６】
また、ＮＣＵ１５に接続される無線機１４は、ネットワーク２を介して、センター７によって管理されるサーバ１７から開錠信号を受信し、電気錠端末装置１１に送信する。この場合、電気錠端末装置１１とＮＣＵ１５との通信は無線であっても有線であっても良いが、本実施の形態では無線の場合を例に説明する。
【００１７】
マスターリモコン９は管理会社５によって管理される。マスターリモコン９は、例えば管理会社５が管理する地域Ａに存在する顧客宅に共通して開錠動作を行う鍵であり、電気錠端末装置１１に対して開錠信号を送信するものである。
【００１８】
ここで、マスターリモコン９は地域Ａに共通としたが、例えばひとつの集合住宅に共通に利用可能としてもよい。また、地域Ａのマスターリモコン９で、その他の地域、即ち地域Ｂや地域Ｃに存在する住宅のドアを開錠することは不可能であり、地域Ｂ、地域Ｃに対しても同様にそれぞれ管理会社が存在し、マスターキーが設けられる。
【００１９】
サーバ１７、データベース１８は、サービス提供会社（センター）７に管理される。サービス提供会社７は例えばガス会社等であり、サーバ１７は、顧客宅３のＮＣＵ１５にネットワーク２を介して開錠信号を送信する。
【００２０】
データベース１８はサーバ１７によって管理され、顧客宅３の顧客情報、例えば、顧客の識別番号、世帯主、住所、電話番号、電気錠端末装置１１の識別番号ＮＣＵ１５の識別番号、開錠信号等を保持する。
【００２１】
次に、電気錠端末装置１１の構成及び動作について説明する。
図２は電気錠端末装置１１の外観を示す図である。図３は電気錠端末装置１１のドアに対する取り付け位置を示す図である。図４は電気錠端末装置１１の概略ブロック構成図である。
【００２２】
図２及び図３に示すように電気錠端末装置１１は筐体２１によって保護され、ドア２２の上方端部に設けられる。電気錠端末装置１１はかんぬき２７を上下させることによってドアの施錠、開錠を行う。
【００２３】
図２及び図３は、かんぬき２７がＰ方向に移動され、かんぬき２７の上方端部面がドア２２の上端よりも上方になった状態を示す図であり、ドア２２を開けようとしてもかんぬき２７がドア側の内側壁２８に引っ掛かりドア２２は開かない。即ち、ドア２２は施錠状態にある。
【００２４】
逆に、かんぬき２７がＱ方向に移動され、かんぬき２７の上面が筐体２１の上面より下方となった時に、ドア２２は開錠状態になる。
アンテナ３３はリモコンキー１９やマスターリモコン９からの開錠信号を受信する。
【００２５】
図４に示すように、電気錠端末装置１１は、アンテナ３３、制御部４１、メモリ４３、かんぬき駆動部４５、無線部４７、無線部４９、アンテナ５１等から構成される。また、ＮＣＵ１５に接続された無線機１４はアンテナ５５を内蔵する。
【００２６】
制御部４１は、ＣＰＵであり、メモリ４３、かんぬき駆動部４５、無線部４７、無線部４９の制御及び管理を行う。メモリ４３はリモコンＩＤ情報５４とマスターリモコンＩＤ情報５６を保持する。
【００２７】
図５はリモコンキーＩＤ情報５４を示す図である。リモコンキーＩＤ情報５４は、リモコンキー１９−１、１９−２、１９−３、…のＩＤ番号である。
図６はマスターリモコンＩＤ情報５６を示す図である。マスターリモコンＩＤ情報５６はマスターリモコンＩＤ番号である。ここで、マスターリモコンＩＤ情報５６として、管理会社５の名称あるいは識別番号、ＩＤ番号の更新日時等を登録してもよい。
【００２８】
メモリ４３はＲＡＭであり、リモコンＩＤ情報５４とマスターリモコンＩＤ情報５６は必要に応じて随時変更、登録更新可能である。
【００２９】
かんぬき駆動部４５は、制御部の指令を受けてかんぬき２７を上下させ、施錠、開錠動作を行う。無線部４７はアンテナ３３が受信したリモコンキー１９−１、１９−２、１９−３、…、及びマスターリモコン９から発信された開錠信号を制御部に送信する。無線部４９はアンテナ５１を有する。アンテナ５１はＮＣＵ１５に接続された無線機１４のアンテナ５５から送信された開錠信号を受信し、無線部４９はその開錠信号を制御部４１に送信する。
【００３０】
以下にリモコンキー１９を用いた通常の開錠動作について説明する。
通常の開錠動作では、アンテナ３３はリモコンキー１９−１、１９−２、１９−３、…からの開錠信号を受信し、無線部４７に送信する。無線部４７は開錠信号を制御部４１に伝達する。
【００３１】
制御部４１は開錠信号を解読し、その内容とメモリ４３に保持されたリモコンキーＩＤ情報５４と照合し、開錠信号がメモリ４３のリモコンキーＩＤ情報５４に登録されたＩＤ番号のいずれかと一致した場合、かんぬき駆動部４５に対してかんぬき２７の開錠動作を指示する。かんぬき駆動部４５はかんぬき２７をＱ方向に移動させ、開錠する。
【００３２】
以上説明したのが、通常のリモコンキー１９を用いた開錠動作であるが、顧客がリモコンキー１９−１、１９−２、…を紛失した場合の、電気錠制御システム１による電気錠端末装置１１の開錠動作について以下に説明する。
【００３３】
図７は、マスターリモコン９とサーバ１７からの開錠信号による開錠動作のフローチャートである。
例えば、顧客宅３のリモコンキー１９−１を紛失した顧客は、管理会社５に連絡し、管理会社５の社員はマスターリモコン９を顧客宅３まで携行する。管理会社５の社員はサービス提供会社（センター）７に連絡し、サーバ７に開錠信号の発信を要求する。
【００３４】
制御部４１は、サービス提供会社（センター）７のサーバ１７から開錠信号を受信する（ステップ１０１）。サーバ１７から発信された開錠信号は、ネットワーク２を介してＮＣＵ１５に送信される。ＮＣＵ１５の無線機１４に内蔵されたアンテナ５５は、無線通信でアンテナ５１に開錠信号を送信し、無線部４９に伝え、無線部４９は制御部４１に送信する。
【００３５】
次に、制御部４１がサーバ１７からの開錠信号を受信した時点から所定の時間内に、制御部４１はマスターリモコン９からの開錠信号を受信する（ステップ１０２）。
【００３６】
管理会社５の社員は、サーバ１７からの開錠信号が制御部４１に受信されたことを確認した後、所定の時間内に、マスターリモコン９から開錠信号を発信する。マスターリモコン９から送られた開錠信号は、アンテナ３３で受信され、無線部４７に送られ、無線部４７から制御部４１に送信される。ここで、所定の時間の長さは任意に設定可能である。
【００３７】
制御部４１は、受信した開錠信号を解読し、その開錠信号の内容が、メモリ４３に登録されたマスターリモコンＩＤ情報５６のＩＤ番号と一致するかどうかを判定し（ステップ１０３）、一致した場合、かんぬき駆動部４５に対してかんぬき２７の開錠動作を指示する（ステップ１０４）。また、開錠信号の内容が、メモリ４３に登録されたマスターリモコンＩＤ情報５６のＩＤ番号と一致しない場合、開錠動作は行われない（ステップ１０５）。
【００３８】
以上は、電気錠端末装置１１は、最初にサーバ１７の開錠信号を受信して、次にマスターリモコン９からの開錠信号を受信してから開錠動作を行う場合について説明したが、最初にマスターリモコン９からの開錠信号を受信して、その後に最初にサーバ１７の開錠信号を受信して開錠動作を行ってもよい。図８は、その動作のフローチャートである。
【００３９】
図７の場合と同様に、例えば、顧客宅３のリモコンキー１９−１を紛失した顧客は、管理会社５に連絡し、管理会社５の社員はマスターリモコン９を顧客宅３まで携行する。社員はマスターリモコン９から開錠信号を発信させる。制御部４１はマスターリモコン９からの開錠信号を受信する（ステップ２０１）。マスターリモコン９から送られた開錠信号は、アンテナ３３で受信され、無線部４７に送られ、無線部４７から制御部４１に送信される。
【００４０】
制御部４１は、受信した開錠信号を解読し、その開錠信号の内容が、メモリ４３に登録されたマスターリモコンＩＤ情報５６のＩＤ番号と一致するかどうかを判定し（ステップ２０２）、一致した場合、所定の時間内にサーバ１７からの開錠信号が有効になり、その時間内にサーバ１７からの開錠信号を受信する（ステップ２０３）。
【００４１】
管理会社５の社員は、マスターリモコン９からの開錠信号が制御部４１に受信され、開錠信号とマスターリモコンＩＤ情報５６のＩＤ番号とが一致したことを確認した後、所定の時間内に、サービス提供会社（センター）７に連絡し、サーバ７に開錠信号の発信を要求する。尚、この所定の時間の長さは任意に設定可能である。
【００４２】
制御部４１は、サービス提供会社（センター）７のサーバ１７から開錠信号を所定の時間内に受信した後、かんぬき駆動部４５に対してかんぬき２７の開錠動作を指示する（ステップ２０４）。また、ステップ２０２において、マスターリモコン９からの開錠信号の内容が、メモリ４３に登録されたマスターリモコンＩＤ情報５６のＩＤ番号と一致しない場合、開錠動作は行われない（ステップ２０５）。
【００４３】
以上のように、本実施の形態では、電気錠端末装置１１が、管理会社５が管理するマスターリモコン９の開錠信号と、サービス提供会社（センター）７のサーバ１７から送られる開錠信号との両方を受信して初めて開錠動作が行われる。従って、顧客宅３のドア２２の開錠動作においてセキュリティ向上が実現される。
【００４４】
次に、第２の実施例について説明する。図９及び図１０は第２の実施の形態に係る電気錠端末装置７１を示す図である。図９に示すドア６１は顧客宅３の例えば玄関ドアである。電気錠端末装置７１はドア６１のノブ６３の上方に設けられるサムターン６５に対して設置するものであり、サムターン６５を操作することで施錠、開錠動作を行うものである。
【００４５】
図１０に示すように、ドア６１にはドア内部側にノブ６３、サムターン６５、ドア側部に施錠突起８３、突起８５が設けられる。サムターン６５は回動可能であり、たとえば、Ｅ方向に回すと施錠突起８３が建物側の凹部（図示せず）に嵌め込まれて施錠され、Ｆ方向に回すと施錠突起８３がドア側に収納されて、開錠可能な状態となり、その状態でノブ６３を引き下げることによって、突起８５がドア側に収納されドア６１を開けることができる。
【００４６】
図１０に示すように、サムターンアタッチメント７３にはサムターン６５の突起７２（これを回転させることでサムターン６５が回転する）に嵌め合わせるのに適合した形状の孔７４が設けられる。サムターン６５の突起７２がサムターンアタッチメント７３に設けられた孔７４に嵌め合わせるように、サムターン６５にサムターンアタッチメント７３を嵌着させる。電気錠端末装置７１は回動可能な回転部７５を有し、その回転部７５がサムターンアタッチメント７３に嵌着されるように、電気錠端末装置７１がドア６１に取り付けられる。
【００４７】
これにより、回転部７５がＥ方向に回転すれば、サムターン６５がＥ方向に回転し、ドア６１は施錠され、回転部７５がＦ方向に回転すれば、サムターン６５がＦ方向に回転し、ドア６１は開錠される。点線部は電気錠端末装置１１の取り付け位置８１を示す。
【００４８】
次に、電気錠端末装置７１の構成と動作について説明する。図１１は、電気錠端末装置７１の概略ブロック構成図である。ここで、電気錠端末装置７１は、図４に示す電気錠端末装置１１とほぼ同じ構成であり、異なるのは、開錠動作が回転部７５で行われ、その回転操作を回転部駆動部９１が行うことである。
【００４９】
電気錠端末装置７１による開錠動作も、図７及び図８に示した電気錠端末装置１１による開錠動作と同じである。マスターリモコン９から受信した開錠信号と、サーバ１７からネットワーク２及びＮＣＵ１５を介して受信した開錠信号との、両方の開錠信号を制御部４２が受信して、初めて制御部４１は回転部駆動部９１に指令を発し、回転部駆動部９１は回転部７５を回転させ、開錠させる。
【００５０】
以上説明したように、本発明では、電気錠端末装置１１及び電気錠端末装置７１が、マスターリモコン９から受信した開錠信号と、サーバ１７から受信した開錠信号との、両方の開錠信号を受信して、ドアの開錠動作が行われ、開錠動作の安全性を向上させることができる。
【図面の簡単な説明】
【００５１】
【図１】電気錠制御システム１を示す図である。
【図２】電気錠端末装置１１の外観を示す図である。
【図３】電気錠端末装置１１の取り付け位置を示す図である。
【図４】電気錠端末装置１１の概略ブロック構成図である。
【図５】リモコンキーＩＤ情報５４の一例を示す図である。
【図６】マスターリモコンＩＤ情報５６の一例を示す図である。
【図７】電気錠端末装置１１による開錠動作のフローチャートである。
【図８】電気錠端末装置１１による開錠動作のフローチャートである。
【図９】電気錠端末装置７１の外観である。
【図１０】電気錠端末装置７１の取り付け方法を示す図である。
【図１１】電気錠端末装置７１の概略ブロック構成図である。
【符号の説明】
【００５２】
１………電気錠制御システム
２………ネットワーク
９………マスターリモコン
１１………電気錠端末装置
１５………ＮＣＵ
１７………サーバ
１９−１、１９−２、１９−３………リモコンキー
２７………かんぬき
【図１】
2005290811.tif 000003
【図２】
2005290811.tif 000004
【図３】
2005290811.tif 000005
【図４】
2005290811.tif 000006
【図５】
2005290811.tif 000007
【図６】
2005290811.tif 000008
【図７】
2005290811.tif 000009
【図８】
2005290811.tif 000010
【図９】
2005290811.tif 000011
【図１０】
2005290811.tif 000012
【図１１】
2005290811.tif 000013